(57)【要約】【課題】製本された冊子のページを自動的にめくることができる、シンプルな構成のページめくり装置およびこのページめくり装置を備える画像読取システムを提供することを目的とする。【解決手段】開かれた状態で載置台２００に設置された冊子７００の一方側のページ７４０に接触し、一方側のページ７４０との間で摩擦力を生じる摩擦部材３００と、一方側のページ７４０が他方側のページ７６０側にめくられる場合のページめくり方向の第１仮想直線に交差し、綴じ部７８０と反対側の一辺の略端部を通る一方側のページ７４０内の第２仮想直線上で、かつこの略端部を移動開始位置とした所定の範囲、摩擦部材３００を移動可能な摩擦部材移動部と、摩擦部材３００が移動することによって、一の用紙７２０の下側に配置された摩擦部材３００を、他方側のページ７６０側に移動するページめくり部と、を備えるページめくり装置としたものである。【選択図】図５
2010228124.tif 000002
【特許請求の範囲】
【請求項１】
製本された冊子が開かれて設置された状態で、前記冊子のページをめくることが可能なページめくり装置であって、
前記開かれた状態で設置された冊子の一方側のページに接触し、前記一方側のページとの間で摩擦力を生じる摩擦部材と、
前記一方側のページが前記冊子の他方側のページ側にめくられる場合のページめくり方向の第１仮想直線に交差し、前記一方側のページの前記綴じ部と反対側の一辺の略端部を通る前記一方側のページ内の第２仮想直線上で、かつ前記略端部を移動開始位置とした所定の範囲、前記摩擦部材を移動可能な摩擦部材移動部と、
前記摩擦部材移動部による前記摩擦部材の移動にともない変形していく前記一方側のページを片面とする一の用紙が、前記変形にともなう復元力によって復元し、前記摩擦部材の上側に配置されることによって、前記一の用紙の下側に配置された前記摩擦部材を、前記他方側のページ側に移動するページめくり部と、を備えることを特徴とするページめくり装置。
【請求項２】
前記第２仮想直線は、前記一方側のページの前記綴じ部に沿った直線であることを特徴とする請求項１に記載のページめくり装置。
【請求項３】
前記摩擦部材移動部によって前記摩擦部材が移動している状態において、前記摩擦部材の移動範囲から所定の範囲離れた位置で、前記一方側のページを押圧する押圧部を備えていることを特徴とする請求項１または請求項２に記載のページめくり装置。
【請求項４】
請求項１から請求項３のいずれか１項に記載のページめくり装置と、
前記ページめくり装置に前記開かれた状態で設置された冊子のページを読み取る画像読取装置と、を備える画像読取システム。
【発明の詳細な説明】
【技術分野】
【０００１】
本発明は、製本された冊子において、ページめくりの対象となるページを自動的にめくるための技術に関する。
【背景技術】
【０００２】
従来から、製本された冊子、例えば、本の各ページを自動的にめくるための装置が提案されている。例えば、載置台に開かれた状態で載置された、複数のページを有する本の上方にあり、載置台の上下方向に、また本の綴じ目とほぼ直角方向に移動自在に設けられた移動体に取り付けられ、本のめくりページ上方から接して、本のめくりページのほぼ中央部を上方に膨出させるように回転し、一枚のページのみをめくるめくりローラと、めくりローラによって膨出されためくるべきページと次のページとの隙間に、本の綴じ目方向に進退自在に挿入される移動体に取り付けられためくり棒とを備え、隙間に挿入しためくり棒を移動とともに本の綴じ目方向に相対移動させることによりページめくりをするようにした自動改ページ装置が提案されている（例えば、特許文献１参照）。
【０００３】
また、特許文献１の装置とは異なる構成の装置も提案されている（例えば、特許文献２参照）。
【先行技術文献】
【特許文献】
【０００４】
【特許文献１】特開昭６２−１３３９３号公報
【特許文献２】特開平１０−５８８６１号公報
【発明の概要】
【発明が解決しようとする課題】
【０００５】
上記従来のページめくり装置（特許文献１において「自動改ページ装置」がこれに相当）では、複数の構成が連動して動作することで、ページめくりの対象となるページがめくられていた。
【０００６】
本発明は、製本された冊子のページを自動的にめくることができる、シンプルな構成のページめくり装置およびこのページめくり装置を備える画像読取システムを提供することを目的とする。
【課題を解決するための手段】
【０００７】
上記従来の課題に鑑みなされた本発明のページめくり装置は、開かれた状態で設置された冊子の一方側のページを片面とする用紙を変形させ、この変形にともなう用紙の復元力を利用することで、この用紙を変形するために利用される部材をこの用紙の下側に配置し、この部材を開かれた状態で設置された冊子の他方側のページ側に移動して、一方側のページをめくることとしたものである。
【０００８】
ここで、本発明のページめくり装置は、開かれた状態で載置台に設置された冊子の一方側のページに接触し、一方側のページとの間で摩擦力を生じる摩擦部材と、一方側のページが冊子の他方側のページ側にめくられる場合のページめくり方向の第１仮想直線に交差し、一方側のページの綴じ部と反対側の一辺の略端部を通る一方側のページ内の第２仮想直線上で、かつこの略端部を移動開始位置とした所定の範囲、前記摩擦部材を移動する摩擦部材移動部と、この摩擦部材が移動することによって、一の用紙の下側に配置された摩擦部材を、他方側のページ側に移動するページめくり部と、を備える。
【０００９】
第１の課題解決手段は、製本された冊子が開かれて設置された状態で、前記冊子のページをめくることが可能なページめくり装置であって、前記開かれた状態で設置された冊子の一方側のページに接触し、前記一方側のページとの間で摩擦力を生じる摩擦部材と、前記一方側のページが前記冊子の他方側のページ側にめくられる場合のページめくり方向の第１仮想直線に交差し、前記一方側のページの前記綴じ部と反対側の一辺の略端部を通る前記一方側のページ内の第２仮想直線上で、かつ前記略端部を移動開始位置とした所定の範囲、前記摩擦部材を移動可能な摩擦部材移動部と、前記摩擦部材移動部による前記摩擦部材の移動にともない変形していく前記一方側のページを片面とする一の用紙が、前記変形にともなう復元力によって復元し、前記摩擦部材の上側に配置されることによって、前記一の用紙の下側に配置された前記摩擦部材を、前記他方側のページ側に移動するページめくり部と、を備えることを特徴とするページめくり装置である。これによれば、一方側のページを片面とする一の用紙を変形させるための摩擦部材を用いて、一方側のページをめくることができる。
【００１０】
第２の課題解決手段は、第１の課題解決手段のページめくり装置であって、前記第２仮想直線は、前記一方側のページの前記綴じ部に沿った直線であることを特徴とする。これによれば、摩擦部材を、ページめくりの対象である一方側のページを片面とする一の用紙の下側に容易に配置することができる。一の用紙の下側に摩擦部材を配置するにあたり、摩擦部材の移動量を少なくすることができる。
【００１１】
第３の課題解決手段は、第１または第２の課題解決手段のページめくり装置であって、前記摩擦部材移動部によって前記摩擦部材が移動している状態において、前記摩擦部材の移動範囲から所定の範囲離れた位置で、前記一方側のページを押圧する押圧部を備えていることを特徴とする。これによれば、ページめくりの対象である一方側のページを片面とする一の用紙を容易に変形させることができる。
【００１２】
第４の課題解決手段は、第１から第３の課題解決手段のいずれか１つのページめくり装置と、前記ページめくり装置に前記開かれた状態で設置された冊子のページを読み取る画像読取装置と、を備える画像読取システム。これによれば、自動でページをめくりながら、開かれた冊子のページを順次読み取ることができる。なお、第５の課題解決手段の画像読取システムは、いわゆるスタンドアローン（stand-alone）の装置である場合を含む。
【発明の効果】
【００１３】
本発明によれば、製本された冊子のページを自動的にめくることができる、シンプルな構成のページめくり装置およびこのページめくり装置を備える画像読取システムを得ることができる。
【図面の簡単な説明】
【００１４】
【図１】（ａ）および（ｂ）は、画像読取システムの外観を示す図
【図２】（ａ）〜（ｃ）は、摩擦部材移動部およびページめくり部を示す図
【図３】（ａ）および（ｂ）は、摩擦部材を示す図
【図４】画像読取システムの機能ブロックを示す図
【図５】ページめくりの第１工程および第２工程を示す図
【図６】ページめくりの第３工程および第４工程を示す図
【図７】ページめくりの第５工程および第６工程を示す図
【発明を実施するための形態】
【００１５】
本発明を反映した上記課題解決手段を実施するための実施形態について、図面を用いて以下に詳細に説明する。上記課題解決手段は以下に記載の構成に限定されるものではなく、同一の技術的思想において種々の構成を採用することができる。例えば、以下に説明する各構成において、所定の構成を省略することができる。
【００１６】
（画像読取システムの構成）
画像読取システム１０について、図１から図３を参照して説明する。画像読取システム１０は、ページめくり装置１００と画像読取装置８００とを含む。なお、本実施形態では、画像読取システム１０は、フレーム９００を介して単一の装置として構成されている。なお、図１（ａ）において、直線Ｌ１は、ページめくり方向の直線（第１仮想直線）を示す。
【００１７】
ページめくり装置１００は、載置台２００と摩擦部材３００と摩擦部材移動部４００とページめくり部５００とを備える。載置台２００には、例えば本のような冊子７００が載置（設置）される。載置台２００には、冊子位置合わせ溝２２０が形成されている。ユーザは、冊子７００の綴じ部７８０を、冊子位置合わせ溝２２０に合致させて、載置台２００上に冊子７００を載置する。載置台２００は、その内部に種々の構成を内蔵する。
【００１８】
摩擦部材３００は、例えばゴムのような弾性体で形成することができる。なお、摩擦部材３００の機能等については後述する。
【００１９】
摩擦部材移動部４００およびページめくり部５００について、図２を参照して説明する。摩擦部材移動部４００は、支持部３２０とモータ４２０とギア４４０とを含む。支持部３２０は、その先端に摩擦部材３００が取り付けられる。支持部３２０の基端側（摩擦部材３００が取り付けられる側と反対側）の所定の領域には、ギア４４０と噛み合うギア４６０が形成されている（図２（ｃ）参照）。モータ４２０が一の方向に回転したとき、その回転がギア４４０，４６０に伝達され、これによって、支持部３２０が図２（ａ），（ｃ）に示すｙ方向に移動する。これに対し、モータ４２０が他の方向に回転したとき、その回転がギア４４０，４６０に伝達され、支持部３２０がｙ’方向に移動する（図２（ａ），（ｃ）参照）。支持部３２０の移動にともない、その先端に取り付けられている摩擦部材３００も移動する。なお、ｙ，ｙ’方向は、一方側のページ７４０の綴じ部７８０に沿った直線（図３の直線Ｌ２参照）上の方向である。
【００２０】
ページめくり部５００は、タイミングベルト５２０とモータ５４０とを含む（図２（ｂ）参照）。タイミングベルト５２０には、摩擦部材移動部４００が取り付けられている。モータ５４０が一の方向に回転したとき、タイミングベルト５２０も一の方向に回転する。これにより、摩擦部材移動部４００が図２（ａ）に示すｘ方向に移動する。これに対し、モータ５４０が他の方向に回転したとき、タイミングベルト５２０も他の方向に回転する。これにより、摩擦部材移動部４００がｘ’方向に移動する（図２（ａ）参照）。摩擦部材移動部４００の移動にともない、その支持部３２０の先端に取り付けられている摩擦部材３００も移動する。なお、ｘ方向は、図１（ａ）に示すページめくり方向に一致する。ｘ’方向は、その逆方向である。
【００２１】
摩擦部材移動部４００による摩擦部材３００の移動について、図３を参照して、さらに説明する。先ず、摩擦部材移動部４００が摩擦部材３００を移動する際、ページめくり部５００は、摩擦部材３００が、ページめくりの対象である一方側のページ７４０上であって、綴じ部７８０と反対側の一辺の略端部（例えば、図３（ａ）において、摩擦部材３００が図示されている位置参照）に配置されるように、摩擦部材移動部４００を所定の位置に配置する。その状態において、摩擦部材移動部４００のモータ４２０（図２（ｃ）参照）が一の方向に回転することで、摩擦部材３００は、綴じ部７８０と反対側の一辺の略端部（一方側のページ７４０上の位置）を移動開始位置として、直線Ｌ２上を所定の範囲進行（前進移動）する（図３（ａ）の「移動方向」参照）。
【００２２】
詳細は後述するが、摩擦部材３００が一方側のページ７４０を移動することによって、一方側のページ７４０と摩擦部材３００との間で摩擦力が生じ、この摩擦力によって、一方側のページ７４０を片面とする一の用紙７２０が変形する。ここで、直線Ｌ２は、ページめくり方向の直線Ｌ１に対して垂直に交差する直線であって、綴じ部７８０に沿った直線である。
【００２３】
なお、摩擦部材３００が取り付けられる支持部３２０は、略「く」の字形状に形成されている。先端部分は冊子７００（載置台２００）に対して水平である一方、所定の位置で斜め上方に折れ曲がって形成されている。これは、一の用紙７２０が変形し、その変形に基づく復元力によって摩擦部材３００の上側に配置（摩擦部材３００が一の用紙７２０に下側に配置）される場合において、支持部３２０を容易に乗り越えられるようにするためである（図５の第２工程参照）。
【００２４】
説明を図１に戻し、ページめくり装置１００は、押圧部６００Ａ，６００Ｂを備える。押圧部６００Ａは、冊子７００を形成する一の用紙７２０の片面側のページであって、ページめくりの対象となる一方側のページ７４０を押圧する機構である。押圧部６００Ｂは、冊子７００が開かれた状態で載置台２００に載置された状態で、一方側のページ７４０とともに開かれる他方側のページ７６０を載置台２００側に押圧する機構である。詳細は後述するが、押圧部６００Ａ，６００Ｂは、所定の範囲を回転可能に、例えばフレーム９００に取り付けられている（図１（ａ）において、押圧部６００Ａ，６００Ｂ近傍に記載の矢印参照）。押圧部６００Ａ，６００Ｂにおいて、一方側のページ７４０および他方側のページ７６０に接触する部分は、例えば摩擦部材３００と同一の素材により形成されている。
【００２５】
画像読取装置８００は、開かれた状態で載置台２００に載置された冊子７００の一方側のページ７４０および他方側のページ７６０を読み取り可能な装置である。画像読取システム１０は、画像読取装置８００により、いわゆるスキャナ装置と同様の機能を発揮する。画像読取装置８００についての詳細は後述する。
【００２６】
（機能ブロック）
画像読取システム１０が備える機能手段について、図４を参照して説明する。画像読取システム１０は、ＣＰＵ１０２とＲＯＭ１０４とＲＡＭ１０６とを備える。ＣＰＵ１０２は、自装置の制御を司る演算処理装置である。ＲＯＭ１０４は、例えば、以下に説明するページめくり工程を制御するためのプログラムおよび画像読取装置８００による画像読取処理を制御するためのプログラムを記憶する。ＲＡＭ１０６は、ＣＰＵ１０２がＲＯＭ１０４に記憶されたプログラムを実行する際の作業領域として利用される。
【００２７】
画像読取システム１０、より詳細には、ページめくり装置１００は、モータコントローラ１０８を備える。モータコントローラ１０８は、摩擦部材移動部４００のモータ４２０およびページめくり部５００のモータ５４０および図１および図２には図示されていない押圧部６００Ａ，６００Ｂを回転させるためのモータを制御する。また、モータコントローラ１０８は、画像読取装置８００を直線Ｌ１（図１（ａ）参照）上に移動させるためのモータを制御する。
【００２８】
画像読取システム１０は、所定のデータ、例えば画像読取装置８００によって生成された画像データを記憶するための記憶部１１０を備える。画像読取装置８００は、例えば、スキャナのような画像読取手段を含み、画像を読み取るに際し、載置台２００上で開かれたページを所定の方向（他方側のページ７６０から一方側のページ７４０の方向）に走査し、読み取った画像を表す画像データを生成する。また、画像読取システム１０は、ユーザによって操作され、ユーザからの所定の指示を受け付ける操作部１１２を備える。操作部１１２は、所定のスイッチおよびキーによって構成される。
【００２９】
なお、モータコントローラ１０８は、ＣＰＵ１０２の制御下にあり、ＣＰＵ１０２からの制御指令に基づき、指令対象のモータを制御する。例えば、モータコントローラ１０８は、摩擦部材移動部４００による摩擦部材３００の移動指令がＣＰＵ１０２から出力され、これを取得した場合、モータ４２０の一の方向または他の方向への回転を制御する。また、モータコントローラ１０８は、ページめくり部５００による摩擦部材３００の移動指令（タイミングベルト５２０の駆動指令）がＣＰＵ１０２から出力され、これを取得した場合、モータ５４０の一の方向または他の方向への回転を制御する。なお、ＣＰＵ１０２等が配置された回路基盤は、載置台２００に内蔵される。
【００３０】
（ページめくり工程）
ページめくり装置１００において実現されるページめくり工程について、図５から図７を参照して説明する。図５から図７において、摩擦部材移動部４００およびページめくり部５００は、その図示を省略する。このページめくり工程は、ユーザが載置台２００上に冊子７００を載置し、冊子７００を開き、そして、操作部１１２を操作してこのページめくりの開始指示を入力したことを条件として開始される。このページめくり工程は、ＣＰＵ１０２がＲＯＭ１０４に記憶されたページめくりのためのプログラムを、ＲＡＭ１０６上で実行することで行われる。ユーザが操作部１１２を介してページめくりの停止を入力した場合、ＣＰＵ１０２は、ページめくり装置１００において実行されているページめくりを終了する。なお、ユーザが載置台２００に冊子７００を載置する際、押圧部６００Ａ，６００Ｂは、所定の方向に回転し、載置台２００の上方から退避した位置に配置されている。
【００３１】
図５に示す第１工程は、ユーザが載置台２００上に冊子７００を載置し、このページめくりの開始を操作部１１２に入力した後に実行される工程である。第１工程では、所定の位置に退避していた押圧部６００Ａ，６００Ｂが載置台２００の上方に回転移動し、冊子７００の一方側のページ７４０および他方側のページ７６０各々を押圧する。押圧部６００Ａ，６００Ｂの回転移動は、ＣＰＵ１０２からの指令に基づきモータコントローラ１０８によって制御される。ここで、摩擦部材３００が、上述した綴じ部７８０と反対側の一辺の略端部（例えば図３（ａ）参照）に配置されよう、摩擦部材移動部４００およびページめくり部５００が動作する。なお、図５に示す第１工程は、このような動作が実行された後の状態を示している。
【００３２】
第１工程に続けて第２工程では、摩擦部材３００が摩擦部材移動部４００によって前進移動する（図５の第２工程に示す矢印「１」参照／図２におけるｙ方向参照）。この際、摩擦部材３００と一方側のページ７４０との間の摩擦力によって、一方側のページ７４０の端部も摩擦部材３００とともに略同一方向に移動する。摩擦部材３００の移動とともに、一の用紙７２０は変形する。具体的には、一の用紙７２０の摩擦部材３００および押圧部６００Ａと接していない範囲の一部は、一方側のページ７４０の裏面に接する他の用紙７２５から浮き上がった状態になる。なお、摩擦部材移動部４００による摩擦部材３００の移動は、ＣＰＵ１０２からの指令に基づきモータコントローラ１０８によって制御される。
【００３３】
ここで、一方側のページ７４０の端部の移動についてより詳細に説明する。ページめくりの対象である用紙（一の用紙７２０）は、綴じ部７８０で綴じられた状態であり、また、用紙（紙）は一般的にほとんど伸びない（弾性がない）。そのため、第２工程に示す矢印方向に摩擦部材３００が移動するにしたがい、摩擦部材３００と接触する一方側のページ７４０上の位置は、綴じ部７８０と反対側の一辺側に移動していく（ずれていく）。換言すれば、綴じ部７８０と反対側の一辺が、綴じ部７８０側にずれていく（図５の第２工程に示す２点鎖線参照。この２点鎖線は、綴じ部７８０上の点Ｐを中心とする円弧）。そして、一方側のページ７４０の端部が、図５の第２工程に示す「摩擦力未発生領域」までずれたとき、浮き上がった状態の一の用紙７２０は、摩擦部材３００から解放され、元の状態に復元する。この際、一の用紙７２０は、支持部３２０上を乗り越える。
【００３４】
ここで、摩擦力未発生領域とは、一方側のページ７４０の端部が綴じ部７８０側にずれ、一方側のページ７４０と摩擦部材３００との間で摩擦力が生じなくなる領域である。なお、摩擦部材移動部４００は、少なくとも、一方側のページ７４０の端部が「摩擦力未発生領域」にずれるまで、摩擦部材３００を前進移動する。換言すれば、摩擦部材移動部４００は、少なくとも、図５の第２工程に示す２点鎖線の円弧と、摩擦力未発生領域を示す直線との交差位置を超える範囲まで、摩擦部材３００を前進移動する。
【００３５】
第３工程では、第２工程で他の用紙７２５から浮き上がった状態の一の用紙７２０が元の状態に復元し、一の用紙７２０が摩擦部材３００の上側に配置される。換言すれば、摩擦部材３００が一の用紙７２０の下側（一方側のページ７４０の裏面側）に配置される。また、摩擦部材移動部４００は、摩擦部材３００の前進を停止する。なお、一の用紙７２０は、摩擦部材３００が取り付けられた支持部３２０の一部を覆う（支持部３２０の一部についても、一の用紙７２０の下側に配置される）。
【００３６】
第４工程では、押圧部６００Ａが一方側のページ７４０を押圧する位置から回転移動する（図６の第４工程の矢印「２」参照）。そして、摩擦部材３００がページめくり部５００によって一方側のページ７４０から他方側のページ７６０側に移動する（図６の第４工程の矢印「３」参照）。なお、押圧部６００Ａの回転移動およびページめくり部５００による摩擦部材３００の移動は、ＣＰＵ１０２からの指令に基づきモータコントローラ１０８によって制御される。
【００３７】
第５工程では、第４工程に引き続き摩擦部材３００が、摩擦部材移動部４００によって他方側のページ７６０側に移動する（図７の第５工程の矢印「４」参照）。また、摩擦部材３００の移動に合わせて、押圧部６００Ｂが一の用紙７２０の移動（搬送）にともなう一方側のページ７４０のページめくりを妨げとならないように回転移動する（図７の第５工程の矢印「５」参照）。さらに、摩擦部材３００が綴じ部７８０を通過した所定のタイミングで、押圧部６００Ａが載置台２００の上方に回転移動する（図７の第５工程の矢印「６」参照）。なお、ページめくり部５００による摩擦部材３００の移動および押圧部６００Ａ，６００Ｂの回転移動は、ＣＰＵ１０２からの指令に基づきモータコントローラ１０８によって制御される。
【００３８】
第６工程では、摩擦部材３００の移動が停止する。すなわち、ページめくり部５００は、摩擦部材３００が所定の位置（図７の第６工程において摩擦部材３００が図示されている位置参照）に移動した時点で停止する。その後、押圧部６００Ｂが載置台２００の上方に回転移動する（図７の第６工程の矢印「７」参照）。なお、ページめくり部５００の停止および押圧部６００Ｂの移動は、ＣＰＵ１０２からの指令に基づきモータコントローラ１０８によって制御される。
【００３９】
第６工程終了後、所定のタイミングで、ページめくり部５００および摩擦部材移動部４００各々が動作し、摩擦部材３００が第１工程の位置（図５の第１工程参照）に移動し再配置される（図２におけるｘ’およびｙ’方向参照）。また、画像読取装置８００が動作を開始し、載置台２００に開かれた状態の他方側のページ７６０と一方側のページ７４０とのスキャンを開始する。そして、読み取ったページに示された画像を表す画像データを生成する。生成された画像データは記憶部１１０に記憶される。
【００４０】
（本実施形態による有利な効果）
本実施形態のページめくり装置１００は、支持部３２０に取り付けられた摩擦部材３００を、綴じ部７８０と反対側の一辺の端部を移動開始位置として、綴じ部７８０に沿った方向に移動し、一の用紙７２０を変形させることで（図５の第２工程参照）、摩擦部材３００を一の用紙７２０の下側に配置する構成を採用した。その上で、摩擦部材３００を他方側のページ７６０側に移動させることで、ページめくりの対象である一方側のページ７４０をめくることとした。これによれば、摩擦部材３００という単一の部材を移動させることによって、冊子７００のページをめくることができる。すなわち、本実施形態のページめくり装置１００は、シンプルな構成とすることができる。
【００４１】
（変形例）
（１）上記では、画像読取装置８００がスキャナのような画像読取手段とした構成を例に説明した。しかし、これ以外の構成を採用することもできる。例えば、デジタルカメラのような撮像手段とすることもできる。この場合、画像読取装置８００を移動させるための機構を省略することができる。
【００４２】
（２）上記では、摩擦部材移動部４００による摩擦部材３００の移動方向が、一方側のページ７４０の綴じ部７８０と反対側の一辺の端部を移動開始位置として、綴じ部７８０に沿った方向である構成（例えば、図３（ａ）参照）を例に説明した。しかし、これ以外の構成を採用することができる。ページめくりの対象である一方側のページ７４０が、例えば図１に示す位置で押圧部６００Ａに押圧されている場合、摩擦部材３００の移動方向を、一方側のページ７４０の綴じ部７８０と反対側の一辺の端部から押圧部６００Ａの方向とすることもできる。なお、移動方向として、綴じ部７８０に垂直な方向（図１の直線Ｌ１に平行な方向）は不適切であり、採用することができない。摩擦部材３００に押圧される一方側のページ７４０上の位置の移動方向が摩擦部材３００の移動方向に一致するためである。
【００４３】
（３）上記では、ページめくり装置１００と画像読取装置８００とを一体的に構成した画像読取システム１０を例に説明した。しかし、ページめくり装置１００と画像読取装置８００とを２つ組み合わせた構成とすることも可能である。なお、異なる２つの装置で画像読取システム１０を構成する場合、ページめくり装置１００におけるページめくり動作と、画像読取装置８００における読取動作とが連携するよう、相互の装置が制御される。例えば、ページめくり動作の終了信号が、ページめくり装置１００から画像読取装置８００に送信され、画像読取装置８００は、この終了信号の取得を条件として、読取動作を開始する。この場合、各装置が、各装置を制御するためのＣＰＵ等を備える。
【００４４】
（４）上記では、摩擦部材移動部４００がギア４４０，４６０を含み、またページめくり部５００がタイミングベルト５２０を含む構成を例に説明した。しかし、摩擦部材移動部４００およびページめくり部５００における移動機構は、これら以外の構成とすることもできる。例えば、摩擦部材移動部４００がタイミングベルトを採用した構成とすることもできる。一方、ページめくり部５００がギアを採用した構成とすることもできる。
【符号の説明】
【００４５】
１００  ページめくり装置
２００  載置台
３００  摩擦部材
３２０  支持部
４００  摩擦部材移動部
４２０  モータ
４４０，４６０  ギア
５００  ページめくり部
５２０  タイミングベルト
５４０  モータ
７００  冊子
７２０  一の用紙
７４０  一方側のページ
７６０  他方側のページ
【図１】
2010228124.tif 000003
【図２】
2010228124.tif 000004
【図３】
2010228124.tif 000005
【図４】
2010228124.tif 000006
【図５】
2010228124.tif 000007
【図６】
2010228124.tif 000008
【図７】
2010228124.tif 000009